(57)【要約】【課題】重量バランスのとれた安定した状態で保持可能な遊技機用表示ユニットを提供することである。【解決手段】図柄表示パネル２１が収容されたフロントケース２４の背面に図柄表示パネル２１の制御用の表示制御基板２２が収容されたリヤケース２５を設ける。リヤケース２５の上壁面２７と下面壁２８のそれぞれに一対の指先係合凹部３２を設け、上面壁２７に形成された指先係合凹部３２に中指と薬指の指先を係合し、下面壁２８に形成された指先係合凹部３２に親指を係合させて、３本指で全体を保持できるようにする。【選択図】図６
2010253164.tif 000002
【特許請求の範囲】
【請求項１】
図柄表示パネルが収容されたフロントケースと、そのフロントケースの背面側に膨出し、内部に図柄表示パネルを制御する表示制御基板が収容されたリヤケースとを有し、前記リヤケースが二組の対向面を外周に有し、一組の対向面の間隔が残り一組の対向面の間隔より小さくされた遊技機用表示ユニットにおいて、
前記リヤケースの対向間隔が狭い側の一組の対向面のそれぞれに一対の指先係合凹部を、２本の指先を拡げた状態で挿入可能とする間隔をおいて形成し、その一対の指先係合凹部を、その形成面の長手方向の中央を挟む両側位置とし、かつ、一方の面に形成された指先係合凹部と他方の面に形成された指先係合凹部間に片手で保持できる程度の間隔を設けたことを特徴とする遊技機用表示ユニット。
【請求項２】
前記指先係合凹部の形成面に、その指先係合凹部の前記リヤケースの背面側の内面に沿って突出部を設けた請求項１に記載の遊技機用表示ユニット。
【請求項３】
前記指先係合凹部をフロントケースの背面に沿って設けた請求項１又は２に記載の遊技機用表示ユニット。
【発明の詳細な説明】
【技術分野】
【０００１】
この発明は、パチンコ機やスロットマシン等の遊技機に取付けられる表示ユニットに関する。
【背景技術】
【０００２】
遊技板の中央部にセンター役物を取付け、そのセンター役物に設けられた開口の後方に液晶表示装置等の図柄表示装置を配置し、上記センター役物の下方に設けられた始動入賞口に遊技球が入賞した際、図柄表示装置の表示パネルに図柄の変動表示を所定時間行わせ、複数の特別図柄が特定の停止表示態様で停止表示された時、大当たり遊技状態として、特別可変入賞装置の入口を塞いでいた扉を予め定められた作動条件に従って開閉させるようにしたパチンコ機においては、普通、図柄表示装置の表示パネルをフロントケース内に収容し、そのフロントケースの背面側に膨出するリヤケース内に上記表示パネルに表示される図柄を変動表示させる表示制御基板を収容して表示ユニットを形成し、その表示ユニットをセンター役物に取り付けるようにしている。
【０００３】
上記表示ユニットの取付けに際しては、通常、リヤケースを片手で把持して表示ユニットの全体を保持し、フロントケースの前面に貼着されている保護フィルムを剥がし、エアブローにより埃等の付着物を除去した後、センター役物の背面にあてがい、位置決め後においてねじ止めすることが行なわれている。
【０００４】
ところで、近年、表示パネルは大型化しており、これを制御する表示制御基板も大型化している傾向にある。このため、表示ユニットの全体の重量も極めて重いものとなって片手で安定よく保持することが困難であり、その取付けには非常に手間がかかっている。
【０００５】
そのような不都合を解消するため、特許文献１に記載された表示ユニットにおいては、フロントケースの背面に設けられたリヤケースの上面壁と下面壁のそれぞれに、片手で保持できる程度の間隔をおいて一対の把持面を対向位置に設け、その対向一対の把持面を把持して、表示ユニットの取付けを行なうようにしている。
【先行技術文献】
【特許文献】
【０００６】
【特許文献１】特開２００７−３０６９７７号公報
【発明の概要】
【発明が解決しようとする課題】
【０００７】
ところで、上記特許文献１に記載の表示ユニットにおいては、対向一対の把持面を把持する２点での保持であり、また、把持面の両端から立ち上がる側面壁の対向間隔が少なくとも親指が挿入し得る程度の幅寸法、好ましくは小指から人指し指までの４本の指を挿入し得る程度の幅寸法であるため、例えば、親指と人指し指とで対向一対の把持面を把持した際に、親指より幅が小さい人指し指が把持面上でずれ動き、あるいは、片寄った位置を把持することがあり、表示ユニットを安定よく保持することができず、改善すべき点が残されていた。
【０００８】
この発明の課題は、重量バランスのとれた安定した状態で保持可能な遊技機用表示ユニットを提供することである。
【課題を解決するための手段】
【０００９】
上記の課題を解決するために、この発明においては、図柄表示パネルが収容されたフロントケースと、そのフロントケースの背面側に膨出し、内部に図柄表示パネルを制御する表示制御基板が収容されたリヤケースとを有し、前記リヤケースが二組の対向面を外周に有し、一組の対向面の間隔が残り一組の対向面の間隔より小さくされた遊技機用表示ユニットにおいて、前記リヤケースの対向間隔が狭い側の一組の対向面のそれぞれに一対の指先係合凹部を、２本の指先を拡げた状態で挿入可能とする間隔をおいて形成し、その一対の指先係合凹部を、その形成面の長手方向の中央を挟む両側位置とし、かつ、一方の面に形成された指先係合凹部と他方の面に形成された指先係合凹部間に片手で保持できる程度の間隔を設けた構成を採用したのである。
【００１０】
上記の構成からなる遊技機用表示ユニットの取付けに際しては、リヤケースの一方の面に形成された一対の指先係合凹部に、例えば、右手または左手の中指と薬指を係合し、かつ、他方の面に形成された一対の指先係合凹部の一方に親指を係合し、３本の指で表示ユニットを挟持する３点支持の保持状態において、その表示ユニットの取付けを行なう。
【００１１】
上記のように、表示ユニットを３点で保持することにより、表示ユニットを確実に安定よく保持することができ、表示ユニットの取付け作業の容易化を図ることができる。
【００１２】
ここで、指先係合凹部の形成面に、その指先係合凹部のリヤケースの背面側の内面に沿って突出部を設けると、指先係合凹部に係合する指先の引っ掛かり長さを長くとることができるため、表示ユニットをより安定よく保持することができる。
【００１３】
また、フロントケースの背面に沿って指先係合凹部を設けると、保持位置が表示ユニットの重心に近づくため、表示ユニットをさらに安定よく保持することができる。
【発明の効果】
【００１４】
上記のように、この発明においては、表示ユニットのリヤケースを３点で保持できるため、表示ユニットを極めて安定よく確実に保持することができ、取付け作業の容易化を図ることができる。
【００１５】
また、リヤケースの対向間隔の狭い側の一組の対向面それぞれに一対の指先係合凹部を設けたことにより、右利きおよび左利きのいずれの作業者においても表示ユニットを安定よく確実に保持することができる。
【図面の簡単な説明】
【００１６】
【図１】この発明に係る表示ユニットを採用したパチンコ機の斜視図
【図２】パチンコ機の概略背面図
【図３】図２のIII−IIIに沿った断面図
【図４】図３のIV−IV線に沿った断面図
【図５】中枠と遊技盤とを示す分解斜視図
【図６】表示ユニットを示す斜視図
【発明を実施するための形態】
【００１７】
以下、この発明の実施の形態を図面に基づいて説明する。図１はパチンコ機を示す。パチンコ機は、縦長な矩形状に枠組みされた外枠１を有し、その外枠１の一側部に上下で対向するヒンジ片２が固定され、そのヒンジ片２によりパチンコ機の主要構成部を支持する板状の中枠３の一側部が軸支されて開閉可能に支持されている。
【００１８】
中枠３の表側には、上皿５を有する前面枠４が設けられている。前面枠４は、ガラス板やアクリル樹脂等の透明な樹脂板の周囲に縁枠を設けた構成とされ、その一側部が中枠３に軸支されて開閉自在とされ、閉鎖状態において中枠３の前面を覆うようになっており、その前面枠４の下側に下皿７を有する皿板６が設けられている。
【００１９】
皿板６の右側には発射ハンドル８が取付けられ、その発射ハンドル８に設けられた発射レバー９を回動操作することにより、上皿５に貯留された遊技球が図示省略した球送り機構を介して発射装置に送り込まれた後、中枠３に取付けられた図５に示す遊技盤１０の遊技領域（図示省略）に発射されるようになっている。
【００２０】
図５に示すように、中枠３には遊技盤１０に設けられた図示省略のガイドレールがほぼぴったりと嵌り合う抜き孔１１が形成されている。また、中枠３の背面には、上記抜き孔１１を囲むようにして支持枠１２が設けられている。支持枠１２の内側は嵌合凹部１３とされ、その嵌合凹部１３に対して遊技盤１０の遊技板１０ａが着脱自在とされている。嵌合凹部１３に嵌合された遊技板１０ａは嵌合凹部１３の周囲に設けられた複数の揺動可能な固定レバー１４によって固定されるようになっている。
【００２１】
図２および図３に示すように、遊技板１０ａの中央部には貫通孔１５が形成されている。遊技板１０ａの表面には、その貫通孔１５の周囲を飾るセンター役物１６が設けられている。
【００２２】
センター役物１６は、貫通孔１５の内側に嵌合されてその貫通孔１５の内周を覆う開口枠１７を有し、その開口枠１７は、前部枠１７ａと後部枠１７ｂとに前後に分割され、上記後部枠１７ｂの背面両側部には、複数の突出部１９が上下に間隔をおいて形成され、各突出部１９にねじ込まれるねじの締付けにより表示ユニット２０が取付けられている。
【００２３】
図３および図４に示すように、表示ユニット２０は、図柄表示パネル２１およびその図柄表示パネル２１に図柄を変動表示させる表示制御基板２２と、これらを収容する表示ケース２３からなる。
【００２４】
表示ケース２３は、フロントケース２４の背面側にリヤケース２５を膨出状に設けた構成とされている。フロントケース２４は、前面が開口する箱形とされて開口枠１７の内側の開口１７ｃ全体を覆うことができる大きさとされ、その両側面には突出部１９にねじ止めされる取付片２６が設けられている。また、フロントケース２４内には図柄表示パネル２１が表示面を前側にして収容されている。
【００２５】
図６に示すように、リヤケース２５は、フロントケース２４よりも小型の箱形とされて、上面壁２７、下面壁２８、対向一対の側面壁２９および背面壁３０を有し、その内部には図柄表示パネル２１を制御する表示制御基板２２が収容されている。
【００２６】
背面壁３０には、表示制御基板２２に設けられた複数の接続端子２２ａのそれぞれが挿入される端子挿入孔３１が設けられている。
【００２７】
上面壁２７、下面壁２８および一対の側面壁２９のそれぞれは、背面壁３０に向けて勾配をもつ傾斜状とされ、その上面壁２７と下面壁２８の前部間および後部間の対向間隔は対向一対の側面壁２９の前部間および後部間の対向間隔より小さくなっている。
【００２８】
上面壁２７と下面壁２８のそれぞれには、その長手方向の中央から左右方向に等しい距離だけ離れた位置に一対の指先係合凹部３２、３２が形成され、その一対の指先係合凹部３２、３２間には２本の指先を拡げた状態で挿入可能とする間隔が形成されている。
【００２９】
また、上面壁２７に形成された指先係合凹部３２と下面壁２８に形成された指先係合凹部３２間には片手で保持できる程度の間隔が設けられている。
【００３０】
指先係合凹部３２は、親指が挿入できる程度の大きさとされている。この指先係合凹部３２は、その内面に指先の腹部を係合させて表示ユニット２０を把持するためのものであり、表示ユニット２０の重心Ｇからの前後方向の距離が長くなると、表示ユニット２０の保持が不安定になるため、図３に示すように、フロントケース２４の背面に沿って設けるのが好ましい。
【００３１】
ここで、指先係合凹部３２は貫通孔から成るものであってもよく、あるいは、閉塞端を有する窪みからなるものであってもよい。その指先係合凹部３２に対しての指の掛かり量を大きくするために、図６では、指先係合凹部３２の形成面に、その指先係合凹部３２のリヤケース２５の背面側の内面に沿って突出部３３を設けている。
【００３２】
上記の構成からなる表示ユニット２０の取付けに際しては、リヤケース２５の上面壁２７に形成された一対の指先係合凹部３２に、例えば、右手はたは左手の中指と薬指を係合し、かつ、下面壁２８に形成された一対の指先係合凹部３２の一方に親指を係合し、３本の指で表示ユニット２０を挟持する３点支持の保持状態において、図柄表示パネル２１の表示面に貼着された保護フィルムを剥離する。
【００３３】
そして、保護フィルムの剥離後、表示ユニット２０の取付片２６を後部枠１７ｂの突出部１９に当てがい、その表示ユニット２０の位置決め後に、取付片２６を突出部１９にねじ止めする。
【００３４】
上記のように、表示ユニット２０を片手の３本指で保持することにより、表示ユニット２０をしっかりと保持することができ、安定した状態で表示ユニット２０の取付けを行なうことができる。
【００３５】
また、指先係合凹部３２は親指が挿入できる程度の大きさであるため、指先係合凹部３２内で指がずれ動くようなことはない。このため、表示ユニット２０をしっかりと安定よく、確実に保持することができ、取付け作業を簡単に行なうことができる。
【符号の説明】
【００３６】
２１・・・図柄表示パネル、２２・・・表示制御基板、２４・・・フロントケース、２５・・・リヤケース、３２・・・指先係合凹部、３３・・・突出部
【図１】
2010253164.tif 000003
【図２】
2010253164.tif 000004
【図３】
2010253164.tif 000005
【図４】
2010253164.tif 000006
【図５】
2010253164.tif 000007
【図６】
2010253164.tif 000008